(57)【要約】【課題】体壁を通して体腔内に穿刺針を刺し入れるような様々な器具に対応可能で、穿刺針の過度の刺入動作を確実に抑制して誤穿刺を防止することができ、構成が極めて簡易で安価に製造することができる医療用器具を提供する。【解決手段】外周壁１２と、該外周壁１２の上端側を塞ぐ上面壁１３とにより囲まれた筒状本体１１を有する。筒状本体１１は、外周壁１２の下端側がそのまま開口した内部空間Ｓ１と、該内部空間Ｓ１を上面壁１３から前記開口した底面側まで貫通し、上端側は上面壁１３に開口すると共に下端側はそのまま開口した中空部Ｓ２と、を備えて成る。内部空間Ｓ１を囲む外周壁１２の下端周縁１２ａと、中空部Ｓ２を囲む内周壁１６の下端周縁１６ａとを、それぞれ皮膚表面に当接させた状態で吸引口１４より空気を吸い出した際、筒状本体１１が当該位置に固定されて中空部Ｓ２内が穿刺針の操作空間となる。【選択図】図１
2010075599.tif 000002
【特許請求の範囲】
【請求項１】
体表より体壁を通して体腔内に穿刺針を刺し入れる際に、該穿刺針を操作する位置を定めるための医療用器具において、
外周壁と、該外周壁の上端側を塞ぐ上面壁とにより囲まれた本体を有し、
前記本体は、前記外周壁の下端側がそのまま開口した内部空間と、該内部空間を前記上面壁から前記開口した底面側に向かって貫通し、上端側は前記上面壁に開口すると共に下端側はそのまま開口した中空部と、を備えて成り、
前記上面壁ないし前記外周壁の所定箇所に、空気を吸い出すための吸引手段に連通するように接続する吸引口を設け、
前記内部空間を囲む外周壁の下端周縁と、前記中空部を囲む内周壁の下端周縁とを、それぞれ体表に当接させた状態で前記吸引口より空気を吸い出した際、前記本体が当該位置に固定され、前記中空部内が前記穿刺針の操作空間となることを特徴とする医療用器具。
【請求項２】
前記上面壁ないし前記外周壁の所定箇所に、前記内部空間内における真空の圧力を測る真空計に連通するように接続する接続口を設けたことを特徴とする請求項１に記載の医療用器具。
【請求項３】
前記中空部を囲む内周壁に、該中空部内で操作する前記穿刺針の高さ位置を確認するための目盛りを上下方向に設けたことを特徴とする請求項１または２に記載の医療用器具。
【請求項４】
前記内部空間を囲む外周壁の下端周縁を、アールを付けた断面形状に成形したことを特徴とする請求項１，２または３に記載の医療用器具。
【請求項５】
前記内部空間を囲む外周壁の下端周縁を、波形に湾曲させて周回する凹凸形状に成形したことを特徴とする請求項１，２，３または４に記載の医療用器具。
【発明の詳細な説明】
【技術分野】
【０００１】
本発明は、体表より体壁を通して体腔内に穿刺針を刺し入れる際に、該穿刺針を操作する位置を定めるための医療用器具に関するものである。特に、経皮的な胃瘻造設術の際に用いられるものである。
【背景技術】
【０００２】
従来より、長期的な栄養投与が必要な患者には、経皮的な胃瘻造設術が行われていた。すなわち、穿刺する位置を定めたら、先ず、皮膚表面（体表）より腹壁（体壁）を通して腹腔（体腔）内に穿刺針を刺し入れ、縫合糸により腹壁と胃前壁とを固定する。このとき用いる医療用器具として、例えば、特許文献１に記載された医療用器具が知られている。
【０００３】
次に、腹壁と胃前壁とを固定した位置の側にて、トロッカーの内針によって皮膚表面ないし腹壁を切開しながら外筒を腹腔内に導入する。その後、外筒から内針を抜き去って、代わりに内部にカテーテルを挿入して、膨張させたカテーテルの先端部分を胃前壁に密接させて、皮膚表面より露出する部分のカテーテルに適度な固定具を当てて縫合していた。
【０００４】
このような胃瘻造設術においては、穿刺針を皮膚表面ないし腹壁に穿刺針を刺し入れている時と、トロッカーを腹腔内まで導入する時には、それぞれ穿刺操作に相当な力を要するため、皮膚表面ないし腹壁が陥没して、腹腔内まで突き抜けた穿刺針等が胃後壁まで到達して傷付けるおそれがあった。
【０００５】
かかる問題を解決し得る従来の技術として、例えば、特許文献２に開示されたトロッカー刺入装置が知られている。すなわち、超音波トロッカーを配置したトロッカー固定具を腹壁に設置し、トロッカー固定具内に腹壁を吸引して、超音波トロッカーに腹壁を刺し入れる。この時、超音波トロッカーの先端まで送気する送気流量を測定し、その送気流量の変化により超音波トロッカーが腹壁を突き抜けたことを検出し、その情報に基づいて超音波トロッカーの刺入動作を抑制していた。
【０００６】
【特許文献１】特公平６−２４５３３号公報
【特許文献２】特開２００４−２６１３４３号公報
【発明の開示】
【発明が解決しようとする課題】
【０００７】
しかしながら、前述した特許文献２に記載のトロッカー刺入装置では、専用の超音波トロッカーにしか対応しておらず、例えば、特許文献１に記載の医療用器具等はもちろんのこと、一般のトロッカーにさえ対応することができず、穿刺針等の過度の刺入動作を抑制する装置としては汎用性が全くないという問題があった。さらに、装置自体の構成が複雑で高価であるという問題もあった。
【０００８】
本発明は、以上のような従来技術が有する問題点に着目してなされたものであり、体表より体壁を通して体腔内に穿刺針を刺し入れるような様々な器具に対応可能で、穿刺針（トロッカーの類も含む。）等の過度の刺入動作を抑制して誤穿刺を防止することができ、しかも、構成が極めて簡易で安価に製造することができ、例えば特許文献１に記載の医療用器具と併用することで、よりいっそう確実かつ安全に胃瘻造設術を行うことができる医療用器具を提供することを目的とする。
【課題を解決するための手段】
【０００９】
前述した目的を達成するための本発明の要旨とするところは、以下の各項の発明に存する。  
［１］体表より体壁を通して体腔内に穿刺針を刺し入れる際に、該穿刺針を操作する位置を定めるための医療用器具（１０，１０Ａ〜１０Ｃ）において、
外周壁（１２）と、該外周壁（１２）の上端側を塞ぐ上面壁（１３）とにより囲まれた本体（１１，１１Ａ〜１１Ｃ）を有し、
前記本体（１１，１１Ａ〜１１Ｃ）は、前記外周壁（１２）の下端側がそのまま開口した内部空間（Ｓ１）と、該内部空間（Ｓ１）を前記上面壁（１３）から前記開口した底面側に向かって貫通し、上端側は前記上面壁（１３）に開口すると共に下端側はそのまま開口した中空部（Ｓ２）と、を備えて成り、
前記上面壁（１３）ないし前記外周壁（１２）の所定箇所に、空気を吸い出すための吸引手段に連通するように接続する吸引口（１４，１４Ａ）を設け、
前記内部空間（Ｓ１）を囲む外周壁（１２）の下端周縁（１２ａ）と、前記中空部（Ｓ２）を囲む内周壁（１６）の下端周縁（１６ａ）とを、それぞれ体表に当接させた状態で前記吸引口（１４，１４Ａ）より空気を吸い出した際、前記本体（１１，１１Ａ〜１１Ｃ）が当該位置に固定され、前記中空部（Ｓ２）内が前記穿刺針の操作空間となることを特徴とする医療用器具（１０，１０Ａ〜１０Ｃ）。
【００１０】
［２］前記上面壁（１３）ないし前記外周壁（１２）の所定箇所に、前記内部空間（Ｓ１）内における真空の圧力を測る真空計（２４）に連通するように接続する接続口（１５）を設けたことを特徴とする［１］に記載の医療用器具（１０，１０Ｂ）。
【００１１】
［３］前記中空部（Ｓ２）を囲む内周壁（１６）に、該中空部（Ｓ２）内で操作する前記穿刺針の高さ位置を確認するための目盛り（１７）を上下方向に設けたことを特徴とする［１］または［２］に記載の医療用器具（１０Ａ）。
【００１２】
［４］前記内部空間（Ｓ１）を囲む外周壁（１２）の下端周縁（１２ａ，１２ｂ）を、アールを付けた断面形状に成形したことを特徴とする［１］，［２］または［３］に記載の医療用器具（１０，１０Ａ〜１０Ｃ）。
【００１３】
［５］前記内部空間（Ｓ１）を囲む外周壁（１２）の下端周縁（１２ｂ）を、波形に湾曲させて周回する凹凸形状に成形したことを特徴とする［１］，［２］，［３］または［４］に記載の医療用器具（１０Ｂ，１０Ｃ）。
【００１４】
前記本発明は次のように作用する。  
前記［１］に記載した医療用器具（１０，１０Ａ〜１０Ｃ）は、基本的には外周壁（１２）と、該外周壁（１２）の上端側を塞ぐ上面壁（１３）とにより囲まれた本体（１１，１１Ａ〜１１Ｃ）から成り、構成が極めて簡易で安価に製造することができる。
【００１５】
医療用器具（１０，１０Ａ〜１０Ｃ）を使用するには、人体において穿刺針を操作する位置を定めた上で、本体（１１，１１Ａ〜１１Ｃ）の内部空間（Ｓ１）を囲む外周壁（１２）の下端周縁（１２ａ）と、本体（１１，１１Ａ〜１１Ｃ）の内側にある中空部（Ｓ２）を囲む内周壁（１６）の下端周縁（１６ａ）とを、それぞれ体表に当接させて、この状態で吸引口（１４，１４Ａ）に接続した吸引手段によって空気を吸い出す。
【００１６】
本体（１１，１１Ａ〜１１Ｃ）の内部空間（Ｓ１）は陰圧となり、その吸引力によって本体（１１，１１Ａ〜１１Ｃ）は当該位置に固定される。吸引手段による吸引は、本体（１１，１１Ａ〜１１Ｃ）との間で内部空間（Ｓ１）を閉じる体表が過度に引き込まれない程度で足りる。
【００１７】
本体（１１，１１Ａ〜１１Ｃ）が体表上に位置決め固定された状態において、中空部（Ｓ２）の内周壁（１６）の下端周縁（１６ａ）に囲まれた体表部分は、穿刺針を刺し入れる位置として、中空部（Ｓ２）の上端側の開口を通して外部に露出しており、中空部（Ｓ２）内が穿刺針の操作空間となる。
【００１８】
本体（１１，１１Ａ〜１１Ｃ）の内部空間（Ｓ１）の内側と中空部（Ｓ２）の外側との間の体表ないしその内側の体壁は、内部空間（Ｓ１）内で吸引されることに伴い、外側に張り出すような状態に吸引される。そのため、当該吸引部位の内側位置に穿刺針を刺すために力が加えられても、その押圧力に抗して体表ないし体壁は内側に過度に陥没しない状態に保持される。従って、穿刺する体表ないし体壁よりも、さらに内側にある部位まで誤穿刺する虞はなく、例えば、胃瘻造設術においては、胃後壁を誤穿刺する事態を防止することができる。
【００１９】
前記［２］に記載した医療用器具（１０，１０Ｂ）によれば、本体（１１，１１Ｂ）の上面壁（１３）ないし外周壁（１２）の所定箇所に、内部空間（Ｓ１）内における真空の圧力を測る真空計（２４）に連通するように接続する接続口（１５）を設ける。これにより、この接続口（１５）に接続した真空計（２４）によって、吸引時における内部空間（Ｓ１）の陰圧を容易に知ることができ、実際の計測値に基づき、吸引手段による吸引力を最適な値に適宜調整することができる。
【００２０】
前記［３］に記載した医療用器具（１０Ａ）によれば、本体（１１Ａ）の中空部（Ｓ２）を囲む内周壁（１６）に、該中空部（Ｓ２）内で操作する穿刺針の高さ位置を確認するための目盛り（１７）を上下方向に設ける。これにより、中空部（Ｓ２）内で穿刺針を操作する際、穿刺針の高さ位置を分かり易く確認することができ、容易に穿刺針を体表に刺し入れる施術が可能となる。なお、中空部（Ｓ２）における目盛り（１７）が目視可能であるには、本体（１１Ａ）を透明材質により成形することになることは言うまでもない。
【００２１】
前記［４］に記載した医療用器具（１０，１０Ａ〜１０Ｃ）によれば、本体（１１，１１Ａ〜１１Ｃ）の内部空間（Ｓ１）を囲む外周壁（１２）の下端周縁（１２ａ，１２ｂ）を、アールを付けた断面形状に成形する。これにより、当該部位が接する体表に傷が付くことを防止することができる。なお、内部空間（Ｓ１）を囲む外周壁（１２）よりも形状的には小さいが、中空部（Ｓ２）を囲む内周壁（１６）の下端周縁（１６ａ）に関しても、同様にアールを付けた断面形状に成形すると良い。
【００２２】
前記［５］に記載した医療用器具（１０Ｂ，１０Ｃ）によれば、本体（１１Ｂ，１１Ｃ）の内部空間（Ｓ１）を囲む外周壁（１２）の下端周縁（１２ｂ）を、波形に湾曲させて周回する凹凸形状に成形する。これにより、皮下脂肪が比較的厚い太目体型の体表に対して、前記外周壁（１２）の下端周縁（１２ｂ）を隙間なく容易に密着させることができる。
【発明の効果】
【００２３】
本発明に係る医療用器具によれば、本体の内部空間を囲む外周壁の下端周縁と、中空部を囲む内周壁の下端周縁とを、それぞれ体表に当接させた状態で吸引口より空気を吸い出すことにより、本体は当該位置に固定され中空部内が穿刺針の操作空間となり、穿刺針を操作する位置が定まるため、穿刺針の操作をいっそう確実かつ安全に行うことができる。
【００２４】
ここで中空部内における体表ないしその内側の体壁は、前記内部空間内で吸引されることに伴い、外側に張り出すような状態で固定されるため、当該位置に穿刺針を刺す際に力が加えられても、その押圧力に抗して体表ないし体壁は内側に陥没しないように保持され、穿刺する体壁よりもさらに内側にある部位まで誤穿刺する虞はない。さらに、構成が極めて簡易であり、安価に製造することができる。
【発明を実施するための最良の形態】
【００２５】
以下、図面に基づき、本発明を代表する各種実施の形態を説明する。  
図１〜図５は、本発明の第１実施の形態を示している。  
図１は、医療用器具１０の外観を示す斜視図であり、図２は、医療用器具１０を示す縦断面図である。図３は、医療用器具１０に附属品を接続した状態を示す説明図であり、図４は、医療用器具１０に接続する配管端末器の一例を示す斜視図である。図５は、医療用器具１０を患者の人体における腹部に装着した状態を示す説明図である。
【００２６】
本実施の形態に係る医療用器具１０は、皮膚表面（体表）より腹壁（体壁）を通して体腔内に穿刺針を刺し入れる際に、該穿刺針を操作する位置を定めるために用いるものであり、筒状本体１１を有して成る。以下に、栄養剤の補給や体液の排出等の目的で行われる胃瘻造設術に用いる場合を例に説明する。
【００２７】
図１および図２に示すように、医療用器具１０の筒状本体１１は、円錐台形の外周壁１２と、該外周壁１２の上端側を塞ぐ円形の上面壁１３とにより囲まれた形状に一体成形されている。筒状本体１１は、その外周壁１２の下端側がそのまま開口した内部空間Ｓ１と、該内部空間Ｓ１を上面壁１３から前記開口した底面側に向かって貫通し、上端側は上面壁１３に開口すると共に下端側はそのまま開口した中空部Ｓ２と、を備えて成る。
【００２８】
ここで中空部Ｓ２は、筒状本体１１全体が成す円錐台形の中心軸を通る円柱形であり、その内径は、一般の穿刺針を通すことができる大きさに設定する。ただし、穿刺針としては、腹腔内に手術器具を挿入する器具であるトロッカーに限らず、例えば、特願２００８−６２５５４号、特願２００８−６２５５５号に記載された一対の穿刺針を備えた胃瘻造設用の医療用器具等も該当する。トロッカーとは、一般に外筒管と、該外筒管の内側に挿通させる内針とから成る。また、超音波振動を内針に伝達して内針を振動させながら体壁に刺入させる超音波トロッカーでも良い。
【００２９】
筒状本体１１を成形するための材質としては、被せる皮膚の状態や、中空部Ｓ２内に挿入する穿刺針等の状態が外部から目視できるように透明な材質であることが必要であり、また、繰り返し使用するために、洗浄ないし消毒に耐えるものが適している。具体的には例えば、合成樹脂のうち、ポリカーボネート（ＰＣ）、ポリアセタール（ＰＯＭ）、ポリメチルメタクリレート（ＰＭＭＡ）、ポリエーテルエーテルケトン（ＰＥＥＫ）、ポリ塩化ビニル（ＰＶＣ）、ポリアミド（ＰＡ）、ポリウレタン（ＰＵＲ）、シリコーン（Ｓｉ）、ポリプロピレン（ＰＰ）等があり、これらの合成樹脂を単品または組み合わせて用いると良い。
【００３０】
筒状本体１１の上面壁１３には、空気を吸い出すための吸引手段（図示せず。）に連通するように接続する吸引口１４が設けられている。同じく上面壁１３には、内部空間Ｓ１内における真空の圧力を測る真空計２４（図３参照。）に連通するように接続する接続口１５が設けられている。吸引口１４と接続口１５は、それぞれ中空部Ｓ２の上端開口を間にして対抗する位置にて、管状に上方へ突設されている。
【００３１】
図２に示すように、筒状本体１１の内部空間Ｓ１を囲む外周壁１２の下端周縁１２ａは、アールを付けた断面形状として半円形断面に成形されている。同様に中空部Ｓ２を囲む内周壁１６の下端周縁１６ａも、アールを付けた断面形状として半円形断面に成形されている。なお、中空部Ｓ２を囲む内周壁１６は、上面壁１３から底面側に向かって貫通しているが、外周壁１２の下端周縁１２ａと同等の高さ位置まで延ばす必要はなく、当該高さ位置よりも上方の位置まで延びるように設定されている。
【００３２】
図３に示すように、筒状本体１１の吸引口１４には、チューブ２１の一端側が外嵌して接続され、該チューブ２１の他端側には、吸引手段（図示せず。）の吸引ホース等に接続可能なユニットとして、メス型あるいはオス型のルアーコネクタ２２が接続されている。もちろん、チューブ２１の他端側には、ルアーコネクタ２２の代わりにゴム球形の簡易な真空ポンプを吸引手段として直接接続しても良い。
【００３３】
本実施の形態では、チューブ２１の他端側にルアーコネクタ２２を接続しておき、このルアーコネクタ２２を介して互いに接続可能なルアーコネクタ３４を有する配管端末器３０に接続することを意図している。図４に示すように、配管端末器３０は、病院等の施設において天井部分に吊下げるように設置される設備であり、吸引の他、酸素、笑気、空気等の医療ガスを患者へ供給するためのガスの取り出し口を成すものである。
【００３４】
詳しく言えば配管端末器３０は、天井に予め配設され、ホース３２を接続可能であると共に、吸引手段や医療ガスタンク等の附帯設備に連通するパネル３１と、ホース３２の長さを調整するためのリトラクタ３３と、ホース３２の下端に取り付けられたルアーコネクタ３４等を有して成る。なお、ルアーコネクタ３４の傍らには、使用しない場合に装着する防塵用のプラグ３５が用意されている。
【００３５】
また、筒状本体１１の接続口１５には、別のチューブ２３の一端側が外嵌して接続され、該ルアーコネクタ２２の他端側には、前記吸引手段による内部空間Ｓ１内の吸引時に、内部空間Ｓ１内における真空の圧力を測るための真空計２４が直接接続されている。ここで真空計２４としては、吸引時の陰圧を測定できるものであれば何でも良く、その構成は一般的であるので詳細な説明は省略する。
【００３６】
次に、本実施の形態に係る医療用器具１０の作用を説明する。  
図１に示すように、医療用器具１０は、基本的には外周壁１２と、該外周壁１２の上端側を塞ぐ上面壁１３とにより囲まれた筒状本体１１から成り、構成が極めて簡易で安価に製造することができる。筒状本体１１は、上面壁１３にある一対の吸引口１４および接続口１５を含めて容易に型抜きできる形状であり、前述した各種の合成樹脂により一体成形することができる。
【００３７】
医療用器具１０を使用する場合には、図５に示すように、患者の腹部において穿刺針を操作する位置を定めた上で、筒状本体１１の内部空間Ｓ１を囲む外周壁１２の下端周縁１２ａと、中空部Ｓ２を囲む内周壁１６の下端周縁１６ａとを、それぞれ皮膚表面（体表）に当接させる。この時、中空部Ｓ２から覗く皮膚表面が穿刺針を刺し入れる位置として定まる。
【００３８】
このように、医療用器具１０を位置決めした状態で、吸引口１４にチューブ２１を介して接続した吸引手段により、筒状本体１１の内部空間Ｓ１内の空気を吸い出す。筒状本体１１の内部空間Ｓ１が陰圧となると、その吸引力によって筒状本体１１は当該位置に固定される。ここで吸引手段による吸引は、筒状本体１１との間で内部空間Ｓ１を閉じる皮膚表面が過度に引き込まれない程度で足りる。
【００３９】
図５に示すように、筒状本体１１が皮膚表面上に位置決め固定された状態において、図３に示すように、中空部Ｓ２の内周壁１６の下端周縁１６ａに囲まれる皮膚表面（図示せず。）は、穿刺針を刺し入れる位置として、中空部Ｓ２の上端側の開口を通して外部に露出する。そして、中空部Ｓ２内が穿刺針の操作空間となる。
【００４０】
筒状本体１１の内部空間Ｓ１の内側と中空部Ｓ２の外側との間の皮膚表面ないしその内側の腹壁（体壁）は、内部空間Ｓ１内で吸引されることに伴い、外側に張り出すような状態に吸引される。かかる吸引作用によって、当該吸引部位の内側に位置する皮膚表面に穿刺針を刺すために力が加えられても、その押圧力に抗して皮膚表面ないし腹壁は内側に過度に陥没しない状態に保持される。
【００４１】
従って、穿刺する皮膚表面ないし腹壁よりも、さらに内側にある部位まで穿刺針を誤穿刺する虞はなく、本実施の形態で説明した胃瘻造設術においては、胃後壁を誤穿刺する事態を確実に防止することができる。ここで中空部Ｓ２内の操作空間は、単なる円柱形の空間であり、その内径に収まる大きさの器具であれば、一般的なトロッカーに限らず、例えば、特願２００８−６２５５４号、特願２００８−６２５５５号に記載された一対の穿刺針を備えた医療用器具等にも用いることができる。
【００４２】
また、本実施の形態では、図３に示すように、筒状本体１１の上面壁１３に接続口１５を設け、接続口１５には、チューブ２３を介して真空計２４を接続している。この真空計２４によって、吸引時における内部空間Ｓ１の陰圧を容易に知ることができ、実際の計測値に基づき、吸引手段による吸引力を最適な値に適宜調整することができる。なお、真空計２４は、吸引時の陰圧を測定できるものであれば何でも良く、その種類は問わない。
【００４３】
さらに、図２に示すように、筒状本体１１の内部空間Ｓ１を囲む外周壁１２の下端周縁１２ａを、アールを付けた断面形状に成形したことにより、当該部位が接する皮膚表面に傷が付くことを防止することができる。また、内部空間Ｓ１を囲む外周壁１２よりも形状的には小さいが、中空部Ｓ２を囲む内周壁１６の下端周縁１６ａに関しても、同様にアールを付けた断面形状に成形したので、なおさら、皮膚表面に傷が付くことを防止することができる。
【００４４】
図６および図７は、本発明の第２実施の形態を示している。  
本実施の形態に係る医療用器具１０Ａは、基本的には第１実施の形態に係る医療用器具１０と同等の構造であるが、吸引口１４Ａは上面壁１３でなく外周壁１２に設けられており、接続口１５は設けられていない。ここで吸引口１４Ａは、前記吸引口１４のように管状に突設されたものではなく、外周壁１２より内部に埋没する形状となるメス型のルアーコネクタとして形成されている。
【００４５】
また、中空部Ｓ２を囲む内周壁１６に、該中空部Ｓ２内で操作する穿刺針の高さ位置を確認するための目盛り１７が上下方向に等間隔に並ぶように設けられている。かかる目盛り１７は、塗料により描いたり、刻設しても良く、あるいは目盛りを記したシールを貼るようにしてもかまわない。
【００４６】
このような目盛り１７を設けたことにより、中空部Ｓ２内で穿刺針を操作する際、穿刺針の高さ位置を分かり易く確認することができ、容易に穿刺針を皮膚表面に刺し入れる施術が可能となる。中空部Ｓ２における目盛り１７が目視可能であるには、筒状本体１１Ａを透明材質により成形することになることは言うまでもない。なお、第１実施の形態と同種の部位には同一符号を付して重複した説明を省略する。
【００４７】
図８は、本発明の第３実施の形態を示している。  
本実施の形態に係る医療用器具１０Ｂは、基本的には第１実施の形態に係る医療用器具１０と同等の構造であるが、外周壁１２の下端周縁１２ｂの形状が異なっている。なお、第１実施の形態と同種の部位には同一符号を付して重複した説明を省略する。
【００４８】
本実施の形態において、筒状本体１１Ｂの内部空間Ｓ１を囲む外周壁１２の下端周縁１２ｂは、同一平面上にはなく波形に湾曲させて周回する凹凸形状に成形されている。このような凹凸形状により、皮下脂肪が比較的厚い太目体型の皮膚表面に対して、前記外周壁１２の下端周縁１２ｂを隙間なく容易に密着させることができる。
【００４９】
図９は、本発明の第４実施の形態を示している。  
本実施の形態に係る医療用器具１０Ｃは、基本的には第２実施の形態に係る医療用器具１０Ａと同等の構造であるが、外周壁１２の下端周縁１２ｂの形状が異なっている。すなわち、本実施の形態において、筒状本体１１Ｃの内部空間Ｓ１を囲む外周壁１２の下端周縁１２ｂは、前記第３実施の形態の場合と同様に、同一平面上にはなく波形に湾曲させて周回する凹凸形状に成形されている。なお、第２，３実施の形態と同種の部位には同一符号を付して重複した説明を省略する。
【００５０】
以上、本発明の実施の形態を図面によって説明してきたが、具体的な構成は前述した実施の形態に限られるものではなく、本発明の要旨を逸脱しない範囲における変更や追加があっても本発明に含まれる。例えば、本体を、実施の形態中では筒状本体といい、図面上は筒状の円錐台形で説明したが、略四角錐台形であってもよい。
【００５１】
また、例えば、第１実施の形態における医療用器具１０の吸引口１４と接続口１５を、それぞれ上面壁１３ではなく外周壁１２の適所に設けても良く、あるいはどちらか片方のみを外周壁１２の適所に設けることもできる。
【００５２】
また、第２実施の形態における医療用器具１０Ａの吸引口１４Ａを、外周壁１２ではなく上面壁１３の適所に設けても良い。さらにまた、第２実施の形態では接続口が示されていないが、オス型のルアーコネクタを接続した真空計が取り付けられるように、接続口を設けてもよい。
【００５３】
また、前記各実施の形態では、内部空間Ｓ１を囲む外周壁１２の下端周縁１２ａ，１２ｂを、アールを付けた半円形断面に成形して、安全性を高めると共に密着性を良くしているが、他の構成として例えば、下端周縁１２ａ，１２ｂに、使用時にはシリコーンのジェル状のものを塗り付けたり、さらに、柔らかいゴム状の端末を取り付けるようにしても良い。もちろん、第２実施の形態における目盛り１７は、他の実施の形態に適用することができる。
【図面の簡単な説明】
【００５４】
【図１】本発明の第１実施の形態に係る医療用器具の外観を示す斜視図である。
【図２】本発明の第１実施の形態に係る医療用器具を示す縦断面図である。
【図３】本発明の第１実施の形態に係る医療用器具に附属品を接続した状態を示す説明図である。
【図４】本発明の第１実施の形態に係る医療用器具に接続する配管端末器の一例を示す斜視図である。
【図５】本発明の第１実施の形態に係る医療用器具を患者の人体における腹部に装着した状態を示す説明図である。
【図６】本発明の第２実施の形態に係る医療用器具の外観を示す斜視図である。
【図７】本発明の第２実施の形態に係る医療用器具を示す縦断面図である。
【図８】本発明の第３実施の形態に係る医療用器具を示す縦断面図である。
【図９】本発明の第４実施の形態に係る医療用器具を示す縦断面図である。
【符号の説明】
【００５５】
Ｓ１…内部空間
Ｓ２…中空部
１０…医療用器具
１０Ａ…医療用器具
１０Ｂ…医療用器具
１０Ｃ…医療用器具
１１…筒状本体
１１Ａ…筒状本体
１１Ｂ…筒状本体
１１Ｃ…筒状本体
１２…外周壁
１２ａ…下端周縁
１２ｂ…下端周縁
１３…上面壁
１４…吸引口
１４Ａ…吸引口
１５…接続口
１６…内周壁
１６ａ…下端周縁
１７…目盛り
２１…チューブ
２２…ルアーコネクタ
２３…チューブ
２４…真空計
３０…配管端末器
３１…パネル
３２…ホース
３３…リトラクタ
３４…ルアーコネクタ
３５…プラグ
【図１】
2010075599.tif 000003
【図２】
2010075599.tif 000004
【図３】
2010075599.tif 000005
【図４】
2010075599.tif 000006
【図５】
2010075599.tif 000007
【図６】
2010075599.tif 000008
【図７】
2010075599.tif 000009
【図８】
2010075599.tif 000010
【図９】
2010075599.tif 000011